【手続補正書】
【提出日】平成16年11月19日(2004.11.19)
【手続補正１】
【補正対象書類名】明細書
【補正対象項目名】特許請求の範囲
【補正方法】変更
【補正の内容】
【特許請求の範囲】
【請求項１】
塗布液を供給する供給手段と、前記供給手段から供給された塗布液を吐出するために一方向に延びる吐出口を有する塗布液吐出装置と、塗布液吐出装置および被塗布部材のうちの少なくとも一方を相対的に移動させる移動手段とを備えた塗布装置において、前記塗布液吐出装置が前記相対移動の方向に沿って複数配置されているとともに、各塗布液吐出装置の吐出口に対応する位置に前記被塗布部材を保持する被塗布部材保持手段が設けられていることを特徴とする塗布装置。
【請求項２】
塗布液を供給する供給手段と、前記供給手段から供給された塗布液を吐出するために一方向に延びる吐出口を有する塗布液吐出装置と、塗布液吐出装置および被塗布部材のうちの少なくとも一方を相対的に移動させる移動手段とを備えた塗布装置において、前記塗布液吐出装置の吐出口が前記相対移動の方向とは交差する方向に沿って複数配置されているとともに、各吐出口に対応する位置に前記被塗布部材を保持する被塗布部材保持手段が設けられていることを特徴とする塗布装置。
【請求項３】
前記被塗布部材保持手段は、前記被塗布部材の短辺側を前記相対移動の移動方向に沿って保持するものであることを特徴とする請求項１または２に記載の塗布装置。
【請求項４】
前記被塗布部材保持手段が、前記被塗布部材を１枚保持するものであることを特徴とする請求項１〜３のいずれかに記載の塗布装置。
【請求項５】
塗布液供給装置から塗布液を塗布液吐出装置に供給し、前記塗布液吐出装置および被塗布部材のうちの少なくとも一方を相対的に移動させて前記塗布液吐出装置の吐出口から塗布液を吐出させて前記被塗布部材上に所定厚みの塗膜を形成する塗布方法において、前記塗布液吐出装置を前記相対移動の方向に沿って複数配置するとともに、各塗布液吐出装置の吐出口に対応する位置に前記被塗布部材をそれぞれ配置し、次いで各被塗布部材を対応する塗布液吐出装置に対して同時に移動させることを特徴とする塗布方法。
【請求項６】
塗布液供給装置から塗布液を塗布液吐出装置に供給し、前記塗布液吐出装置および被塗布部材のうちの少なくとも一方を相対的に移動させて前記塗布液吐出装置の吐出口から塗布液を吐出させて前記被塗布部材上に所定厚みの塗膜を形成する塗布方法において、前記塗布液吐出装置の吐出口を前記相対移動の方向とは交差する方向に沿って複数配置するとともに、各塗布液吐出装置の吐出口に対応する位置に前記被塗布部材をそれぞれ配置し、各被塗布部材を対応する吐出口に対して同時に移動させることを特徴とする塗布方法。
【請求項７】
前記被塗布部材を前記被塗布部材保持手段で保持するに際し、前記被塗布部材の短辺側を前記相対移動の移動方向に沿って保持することを特徴とする請求項５または６に記載の塗布方法。
【請求項８】
前記被塗布部材の枚数が、１枚であることを特徴とする請求項５〜７のいずれかに記載の塗布装置。
【請求項９】
請求項１〜４のいずれかに記載の塗布装置を有することを特徴とするカラーフィルターの製造装置。
【請求項１０】
請求項５〜８に記載のいずれかの塗布方法を用いることを特徴とするカラーフィルターの製造方法。
【手続補正２】
【補正対象書類名】明細書
【補正対象項目名】００１０
【補正方法】変更
【補正の内容】
【００１０】
請求項３の塗布装置は、上記塗布装置の場合において、前記被塗布部材保持手段は、前記被塗布部材の短辺側を前記相対移動の移動方向に対して平行に保持するものである。また、請求項４の塗布装置は、上記塗布装置の場合において、前記被塗布部材保持手段が、前記被塗布部材を１枚保持するものである。
【手続補正３】
【補正対象書類名】明細書
【補正対象項目名】００１１
【補正方法】変更
【補正の内容】
【００１１】
請求項５の塗布方法は、塗布液供給装置から塗布液を塗布液吐出装置に供給し、前記塗布液吐出装置および被塗布部材のうちの少なくとも一方を相対的に移動させて前記塗布液吐出装置の吐出口から塗布液を吐出させて前記被塗布部材上に所定厚みの塗膜を形成する塗布方法において、前記塗布液吐出装置を前記相対移動の方向に沿って複数配置するとともに、各塗布液吐出装置の吐出口に対応する位置に前記被塗布部材をそれぞれ配置し、次いで各被塗布部材を対応する塗布液吐出装置に対して同時に移動させることを特徴とする。なお、ここでいう「同時」とは、被塗布部材の工程間での移動がスムーズにいけば問題ないのであって、多少の時間的ずれも含まれ、以下においても同様である。
【手続補正４】
【補正対象書類名】明細書
【補正対象項目名】００１２
【補正方法】変更
【補正の内容】
【００１２】
請求項６の塗布方法は、塗布液供給装置から塗布液を塗布液吐出装置に供給し、前記塗布液吐出装置および被塗布部材のうちの少なくとも一方を相対的に移動させて前記塗布液吐出装置の吐出口から塗布液を吐出させて前記被塗布部材上に所定厚みの塗膜を形成する塗布方法において、前記塗布液吐出装置の吐出口を前記相対移動の方向とは交差する方向に沿って複数配置するとともに、各塗布液吐出装置の吐出口に対応する位置に前記被塗布部材をそれぞれ配置し、各被塗布部材を対応する吐出口に対して同時に移動させることを特徴とする。
【手続補正５】
【補正対象書類名】明細書
【補正対象項目名】００１３
【補正方法】変更
【補正の内容】
【００１３】
請求項７の塗布方法は、上記塗布方法において、前記被塗布部材を前記被塗布部材保持手段で保持するに際し、前記被塗布部材の短辺側を前記相対移動の移動方向に対して平行に保持することを特徴とする。また、請求項８の塗布方法は、上記塗布方法において、前記被塗布部材の枚数が、１枚であることを特徴とする。
【手続補正６】
【補正対象書類名】明細書
【補正対象項目名】００１４
【補正方法】変更
【補正の内容】
【００１４】
請求項９のカラーフィルターの製造装置は、その塗布装置として、上記いずれかの塗布装置を有するものである。
【手続補正７】
【補正対象書類名】明細書
【補正対象項目名】００１５
【補正方法】変更
【補正の内容】
【００１５】
請求項１０のカラーフィルターの製造方法は、その製造工程中の塗布方法において、上記いずれかの塗布方法を用いるものである。
【手続補正８】
【補正対象書類名】明細書
【補正対象項目名】００１６
【補正方法】変更
【補正の内容】
【００１６】
請求項１および５の塗布装置および方法によれば、複数の被塗布部材を走行方向に配置して同数の塗布液吐出装置により同時に塗布するのであるから、被塗布部材１枚あたりのタクトタイムは大幅に縮少され、生産性を向上できる。
【手続補正９】
【補正対象書類名】明細書
【補正対象項目名】００１７
【補正方法】変更
【補正の内容】
【００１７】
請求項２および６の塗布装置および方法によれば、複数の被塗布部材を走行方向に交差する方向、すなわち被塗布部材の幅方向に配置して同時に塗布液吐出装置により塗布するのであるから、これによっても被塗布部材１枚あたりのタクトタイムは大幅に縮少される。
【手続補正１０】
【補正対象書類名】明細書
【補正対象項目名】００１８
【補正方法】変更
【補正の内容】
【００１８】
請求項３および４、並びに請求項７および８の塗布装置および方法によれば、被塗布部材の短辺側に沿って塗布を行うから、これまでのような長辺側に沿って塗布行うよりも被塗布部材の塗布時間を短くでき、結果としてタクトタイムを短くできる。
【手続補正１１】
【補正対象書類名】明細書
【補正対象項目名】００１９
【補正方法】変更
【補正の内容】
【００１９】
請求項９および１０のカラーフィルターの製造装置および製造方法によれば、カラーフィルターの生産性を飛躍的に向上させることができる。